【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
アイウェアであって、前記アイウェアは、
第１のテンプルと第２のテンプルとを有するアイウェアフレームと、
前記第１のテンプルの長さに沿って配置され、少なくとも１つの第１のアプリケーションモジュールを受容する第１の搭載トラックであって、前記少なくとも１つの第１のアプリケーションモジュールは、少なくとも１つの電子デバイスを備える、第１の搭載トラックと、
前記第１の搭載トラックの中に配置され、前記アイウェアを前記少なくとも１つの第１のアプリケーションモジュールに接続する、複数の事前に構成された接続点と
を備え、
前記複数の事前に構成された接続点は、前記少なくとも１つの電子デバイスの機能を支援するために、少なくとも２つの異なるサブ機能接続を提供する、アイウェア。
【請求項２】
前記第１の搭載トラックは、前記第１のテンプルの長さの大半内において配置されている、請求項１に記載のアイウェア。
【請求項３】
前記第１の搭載トラックは、前記第１のテンプルの内側に沿って配置されている、請求項１に記載のアイウェア。
【請求項４】
前記第１の搭載トラックは、前記少なくとも１つの第１のアプリケーションモジュールの調節を支援するように構成されている、請求項１に記載のアイウェア。
【請求項５】
前記第１の搭載トラックは、複数の第１のアプリケーションモジュールを受容するように構成されている、請求項１に記載のアイウェア。
【請求項６】
前記第１の搭載トラックから前記少なくとも１つの第１のアプリケーションモジュールを取り外す取り外し機構をさらに備える、請求項１に記載のアイウェア。
【請求項７】
前記第１の搭載トラックの少なくとも一部の上に取り外し可能に配置された移動可能なカバーと、
前記移動可能なカバーを作動させる取り外し機構と
をさらに備える、請求項１に記載のアイウェア。
【請求項８】
前記第２のテンプルの長さに沿って配置され、少なくとも１つの第２のアプリケーションモジュールを受容する第２の搭載トラックをさらに備え、前記少なくとも１つの第２のアプリケーションモジュールは、少なくとも１つの他の電子デバイスを備える、請求項１に記載のアイウェア。
【請求項９】
前記アイウェアフレームによって支持された少なくとも１つのエレクトロクロミックレンズをさらに備える、請求項１に記載のアイウェア。
【請求項１０】
前記アイウェアは、拡張現実および／または仮想現実を提供するように構成されている、請求項１に記載のアイウェア。
【請求項１１】
アイウェアフレームを用いて、少なくとも１つの電子デバイスを備える少なくとも１つの第１のアプリケーションモジュールを支援する方法であって、前記アイウェアフレームは、第１のテンプルと第２のテンプルとを備え、前記方法は、
前記第１のテンプルの長さに沿って配置された第１の搭載トラックの中に配置された複数の事前に構成された接続点に前記少なくとも１つの第１のアプリケーションモジュールを取り付けることと、
前記複数の事前に構成された接続点を用いて、前記少なくとも１つの電子デバイスの少なくとも２つの異なるサブ機能を支援することと
を含む、方法。
【請求項１２】
前記少なくとも１つの第１のアプリケーションモジュールを前記第１の搭載トラックに取り付けることは、複数の第１のアプリケーションモジュールを前記第１の搭載トラックに搭載することを含む、請求項１１に記載の方法。
【請求項１３】
前記第１の搭載トラックの長さに沿って前記少なくとも１つの第１のアプリケーションモジュールを調節することをさらに含む、請求項１１に記載の方法。
【請求項１４】
前記第１の搭載トラックから前記少なくとも１つの第１のアプリケーションモジュールを取り外すことをさらに含む、請求項１１に記載の方法。
【請求項１５】
前記少なくとも１つの第１のアプリケーションモジュールを前記第１の搭載トラックに取り付けることは、前記第１の搭載トラックの少なくとも一部の上に配置された移動可能なカバーを除去することを含む、請求項１１に記載の方法。
【請求項１６】
前記移動可能カバーを除去することは、取り外し機構を作動させることを含む、請求項１５に記載の方法。
【請求項１７】
前記第２のテンプルの長さに沿って配置された第２の搭載トラックに少なくとも１つの第２のアプリケーションモジュールを取り付けることをさらに含む、請求項１１に記載の方法。
【請求項１８】
アイウェアであって、前記アイウェアは、
第１のテンプルと第２のテンプルとを有するアイウェアフレームと、
前記第１のテンプルの長さに沿って配置された第１のドッキングステーショントラックと、
前記第１のドッキングステーショントラック内に配置された第１の複数の事前に構成された接続点と、
第１の搭載トラックに搭載され、前記第１の複数の事前に構成された接続点のうちの少なくとも２つに接続された少なくとも１つの第１のドッキングアプリケーションモジュールと
を備え、
前記少なくとも１つの第１のドッキングアプリケーションモジュールは、少なくとも１つの第１の電子デバイスを備える、アイウェア。
【請求項１９】
前記少なくとも１つの第１のドッキングアプリケーションモジュールは、複数の第１のドッキングアプリケーションモジュールを備え、前記複数の第１のドッキングアプリケーションモジュールは、前記第１の搭載トラックと、前記第１の複数の事前に構成された接続点のうちのそれぞれの１つとに搭載されている、請求項１８に記載のアイウェア。
【請求項２０】
前記第２のテンプルの長さに沿って配置された第２のドッキングステーショントラックと、
前記第２のドッキングステーショントラック内に配置された第２の複数の事前に構成された接続点と、
第２の搭載トラックに搭載され、前記第２の複数の事前に構成された接続点のうちの少なくとも２つに接続された少なくとも１つの第２のドッキングアプリケーションモジュールと
を備え、
前記少なくとも１つの第２のドッキングアプリケーションモジュールは、少なくとも１つの第２の電子デバイスを備える、請求項１８に記載のアイウェア。
【請求項２１】
前記アイウェアフレームによって支持された少なくとも１つのエレクトロクロミックレンズをさらに備える、請求項１８に記載のアイウェア。
【手続補正２】
【補正対象書類名】明細書
【補正対象項目名】００４２
【補正方法】変更
【補正の内容】
【００４２】
本発明の付加的特徴、利点、および実施形態が、記載され、以下の発明を実施するための形態、図面、および請求項の検討から明白となり得る。さらに、前述の発明の概要および以下の発明を実施するための形態は両方とも、例示であって、請求される発明の範囲を限定せずに、さらなる説明を提供することを意図することを理解されたい。しかしながら、発明を実施するための形態および具体的実施例は、本発明の好ましい実施形態のみを示す。本発明の精神および範囲内における種々の変更および修正は、本発明を実施するための形態から、当業者に明白となるであろう。
本願明細書は、例えば、以下の項目も提供する。
（項目１）
アイウェアドッキングステーションに搭載されるように適合されたアプリケーションモジュールであって、前記アプリケーションモジュールは、
機能を果たすように構成された電子デバイスと、
実質的に固定された位置において前記アプリケーションモジュールを前記ドッキングステーションに固着させるように構成されたアタッチメント機構と、
複数の事前に構成されたアプリケーション接続点と
を備え、
前記複数の事前に構成されたアプリケーション接続点は、前記電子デバイスの機能を支援するために使用される少なくとも２つの異なるサブ機能接続を含む、アプリケーションモジュール。
（項目２）
前記少なくとも２つの異なるサブ機能接続は、電力供給源、オーディオ出力、オーディオ入力、オーディオ接地、ビデオ出力、ビデオ入力、データ出力、データ入力、制御信号出力、および制御信号入力のうちの少なくとも２つを含む、項目１に記載のアプリケーションモジュール。
（項目３）
前記異なるサブ機能接続は、電力供給源、オーディオ出力、および制御入力を含む、項目１に記載のアプリケーションモジュール。
（項目４）
前記異なるサブ機能接続は、データ入力および制御信号出力を含む、項目１に記載のアプリケーションモジュール。
（項目５）
前記データ入力は、センサデータを含み、前記アプリケーションモジュールは、前記データ入力に基づいて、前記制御信号出力を介して前記アイウェアのレンズ機能を制御するように構成されている、項目４に記載のアプリケーションモジュール。
（項目６）
前記異なるサブ機能接続は、前記アプリケーションモジュールが、前記アイウェアから、動作電力および再充電電力のうちの少なくとも１つを受容するために構成された電力供給源を含む、項目１に記載のアプリケーションモジュール。
（項目７）
前記機能は、オーディオ再生、オーディオ記録、音響増幅、音響消去、補聴器、ビデオ再生、ビデオ記録、写真、転倒検出、覚醒監視、歩数計、測位、パルス検出器、無線通信、仮想現実、拡張現実、ゲーム、視標追跡、瞳孔監視、レンズ制御、自動リマインダ、照明、レージング、およびアラームのうちの少なくとも１つを含む、項目１に記載のアプリケーションモジュール。
（項目８）
前記電子デバイスは、カメラを含む、項目１に記載のアプリケーションモジュール。
（項目９）
前記電子デバイスは、音楽プレーヤを含む、項目１に記載のアプリケーションモジュール。
（項目１０）
前記電子デバイスは、無線送受信機を含む、項目１に記載のアプリケーションモジュール。
（項目１１）
前記電子デバイスは、補聴器を含む、項目１に記載のアプリケーションモジュール。
（項目１２）
前記電子デバイスは、アラームを含む、項目１に記載のアプリケーションモジュール。
（項目１３）
前記電子デバイスは、可視または非可視照明デバイスのうちの少なくとも１つを含む、項目１に記載のアプリケーションモジュール。
（項目１４）
前記電子デバイスは、前記アイウェアを介して、仮想現実および拡張現実のうちの少なくとも１つをユーザに提供するように構成されている、項目１に記載のアプリケーションモジュール。
（項目１５）
前記アプリケーションモジュールは、実質的に耐水性である、項目１に記載のアプリケーションモジュール。
（項目１６）
アイウェアシステムであって、前記システムは、
アイウェアフレームであって、前記アイウェアフレームは、
ドッキングステーションと、
第１の一式の事前に構成されたアプリケーション接続点を含む電子コネクタと
を含む、アイウェアフレームと、
前記ドッキングステーションに搭載されるように適合されたアプリケーションモジュールであって、前記アプリケーションモジュールは、
機能を果たすように構成された電子デバイスと、
前記第１の一式の事前に構成されたアプリケーション接続点のうちの少なくともいくつかに対応する第２の一式の事前に構成されたアプリケーション接続点と
を含む、アプリケーションモジュールと
を備え、
前記第２の一式の事前に構成されたアプリケーション接続点は、前記電子デバイスの機能を支援するために使用される少なくとも２つの異なるサブ機能接続を含む、システム。
（項目１７）
前記少なくとも２つの異なるサブ機能接続は、電力供給源、オーディオ出力、オーディオ入力、オーディオ接地、ビデオ出力、ビデオ入力、データ出力、データ入力、制御信号出力、および制御信号入力のうちの少なくとも２つを含む、項目１６に記載のシステム。
（項目１８）
前記異なるサブ機能接続は、前記アプリケーションモジュールが、前記アイウェアフレームから、動作電力および再充電電力のうちの少なくとも１つを受容するために構成された電力供給源を含む、項目１６に記載のシステム。
（項目１９）
前記機能は、オーディオ再生、オーディオ記録、音響増幅、音響消去、補聴器、ビデオ再生、ビデオ記録、写真、転倒検出、覚醒監視、歩数計、測位、パルス検出器、無線通信、仮想現実、拡張現実、ゲーム、視標追跡、瞳孔監視、レンズ制御、自動リマインダ、照明、レージング、およびアラームのうちの少なくとも１つを含む、項目１６に記載のシステム。
（項目２０）
前記アイウェアフレームはさらに、レンズを含み、前記電子デバイスは、少なくとも部分的に前記レンズを制御するように構成されている、項目１６に記載のシステム。
（項目２１）
前記アイウェアフレームはさらに、スピーカを含み、前記電子デバイスは、オーディオ信号を前記スピーカに提供するように構成されている、項目１６に記載のシステム。
（項目２２）
前記アイウェアフレームはさらに、スピーカおよびレンズのうちの少なくとも１つを含み、前記電子デバイスは、スピーカおよびレンズのうちの少なくとも１つを介して、仮想現実および拡張現実のうちの少なくとも１つをユーザに提供するように構成されている、項目１６に記載のシステム。